(57)【要約】【構成】表裏の布地がキルティング縫製することによって４方周縁部２と中央部３を格子状に区画し、中央部３の区画された立方体桝にはダウン・フェザーの充填量の密度比率を減じて、軽くすることにより、嵩高を上げ、４方周縁部２の区画された立方体桝には、ダウン・フェザーの充填量の密度比率を増すことで重くした羽毛入りキルティング布団。【効果】本発明の羽毛入りキルティング布団は、４方周縁部の立方体桝の充填物（羽毛）と中央部の立方体桝の充填物（羽毛）の充填量の密度比率を４方周縁部の立方体桝における密度を増すことにより、睡眠中の人間の身体に添い易くできる。また、中央部の立方体桝における羽毛の充填量密度を少なくすることにより身体に掛る圧力を軽減し、睡眠時、すきま風を防ぎ安定感を増す。【選択図】      図１
2005021249.tif 000002
【特許請求の範囲】
【請求項１】
表裏の布地がキルティング縫製することによって４方周縁部と中央部を格子状に区画し、中央部の区画された立方体桝にはダウン・フェザーの充填量の密度比率を減じて、軽くすることにより、嵩高を上げ、４方周縁部の区画された立方体桝には、ダウン・フェザーの充填量の密度比率を増すことで重くしたことを特徴とする羽毛入りキルティング布団。
【請求項２】
キルティング縫製によって形成された中央部の区画に比べて４方周縁部の区画を細分割して細かくしたことを特徴とする請求項１記載の羽毛入りキルティング布団。
【請求項３】
足元に蓄熱性の高いポリエステル製の綿を充填して足元の保温性を上げることを特徴とする請求項１または請求項２の羽毛入りキルティング布団。
【発明の詳細な説明】
【０００１】
【発明の属する技術分野】
本発明は、羽毛入りキルティング布団で、詳しくは４方周縁部と中央部に区画形成した立方体桝に対してダウン・フェザーの充填量を変えて、中央部より４方周縁部の方を密度比率を高くした羽毛入りキルティング布団に関するものである。
【０００２】
【従来の技術】
従来の羽毛掛け布団としては、並キルト掛け布団において、少なくとも羽毛及び／又は羽根を充填物とした第一充填層と、羽毛及び羽根以外を充填物とした第二充填層が、中地の両側にそれぞれ配置されており、布団の厚み方向に重合された該第一充填層と該第二充填層と該中地と布団の表裏側地が、同時に格子状にキルティング縫合されており、該キルティング縫合部における充填物が圧縮層を形成することを特徴とする並キルト二層構造羽毛掛け布団が存在している（例えば、特許文献１参照）。
この従来の羽毛掛け布団の充填物は、水鳥の体毛を羽根の軸の無い羽毛（ダウン）と羽根の軸のあるフェザーとの混用率で適度の密度になるように構成される。また布団の作成方法は、通常の綿布団とは違い、羽根を使用するため３０ｃｍ〜５０ｃｍの立方体の桝を生地で作成して、その中に羽毛を吹き込むことで作成する。すなわち、１枚の布団で縦１５０ｃｍ、横２１０ｃｍの中で２０個前後の立方体の桝が繋がった状態で１枚の布団となる。そして、この２０個前後の立方体桝の中身（羽毛）は、１枚の布団に対して、同一の充填物が同一の密度で充填される。
【０００３】
【特許文献１】
特開平１１−２０６５２０号公報
【０００４】
【発明が解決しようとする課題】
解決しようとする問題点は、布団全体が密度比率が均一なために身体にかかる圧力が増大し、睡眠時、すきま風を防げなくなるという問題点、またキルティング縫製による立方体の桝の大きさを大きくすると、充填物（羽毛）の片寄りを防ぐことができず、ドレープ性（フィット性）が劣るという問題点、さらに、キルティング縫製による立方体の桝の大きさを小さくすれば、充填物（羽毛）の片寄りを防ぎ、ドレープ性（フィット性）は増すが、縫製及び充填物（羽毛）の充填作業が大変になるという問題点である。
【０００５】
【課題を解決するための手段】
上記課題を解決するための本発明の第１発明は、請求項１に記載された通りの羽毛入りキルティング布団であり、次のようなものである。
表裏の布地がキルティング縫製することによって４方周縁部と中央部を格子状に区画し、中央部の区画された立方体桝にはダウン・フェザーの充填量の密度比率を減じて、軽くすることにより、嵩高を上げ、４方周縁部の区画された立方体桝には、ダウン・フェザーの充填量の密度比率を増すことで重くした構成である。
【０００６】
上記課題を解決するための本発明の第２発明は、請求項２に記載された通りの羽毛入りキルティング布団であり、次のようなものである。
キルティング縫製によって形成された中央部の区画に比べて４方周縁部の区画を細分割して細かくした構成である。
【０００７】
上記課題を解決するための本発明の第３発明は、請求項３に記載された通りの羽毛入りキルティング布団であり、次のようなものである。
足元に蓄熱性の高いポリエステル製の綿を充填して足元の保温性を上げる構成である。
【０００８】
【発明の実施の形態】
表裏の布地がキルティング縫製によって、４方周縁部を格子状に区画し、この区画を細分割して細かくし、中央部は分割を大きく区画し、中央部にはダウン・フェザーの充填量の密度比率を減じて軽くし、嵩高を上げ４方周縁部にはダウン・フェザーの充填量の密度比率を増すことで重くし、足元には蓄熱性の高いポリエステル製の綿を充填して、足元の保温性を上げた羽毛入りキルティング布団である。
【０００９】
【実施例】
本発明の実施例１について、図面に基づき詳細に説明する。
図１は、羽毛入りキルティング布団の平面図であって、１は羽毛入りキルティング布団、２はその４方周縁部、３は中央部、４は足元部である。これらの部分１、２、３は表裏の布地をキルティング用ミシン縫製による縦横の縫合によって立方体桝の区画形成をする。
【００１０】
次に、詳細について説明すると、４方周縁端部を互いに縫着して縦長長方形状の表裏布地に対して、４方周縁部２は小間隔で縫合し、中央部３は４方周縁部２に比べて大間隔でそれぞれ縫合して、縦横の縫合により立方体桝区画されている。前記４方周縁部２に形成した立方体桝である各袋部５への充填物７（羽毛）の密度を高くして、中央部３より重くする。これに対して、中央部に形成した立方体桝である各袋部６への充填物７（羽毛）の密度を低くして４方周縁部２より軽くすることにより、嵩高性を挙げるものである。
【００１１】
また、図２に基づいて本発明の実施例２について詳細に説明する。
実施例１で説明した羽毛入りキルティング布団に、さらに足元部４については、羽毛に替えて蓄熱性の高いポリエステル製綿を充填して、足元の保温性を上げたもので、この点を除いてその他の構成は図１で示した実施例１と同一なので、詳細な説明は省略する。
【００１２】
尚、図３に示したものは、図１におけるＡ−Ａ断面概略図で、４方周縁部の袋部５と中央部の袋部６に羽毛７を充填した所を示したものである。
【００１３】
【発明の効果】
本発明は、以上の構成を採用した結果、次のような効果を得ることができる。
（１）本発明の羽毛入りキルティング布団は、４方周縁部の立方体桝の充填物（羽毛）と中央部の立方体桝の充填物（羽毛）の充填量の密度比率を４方周縁部の立方体桝における密度を増すことにより、睡眠中の人間の身体に添い易くできる。
（２）中央部の立方体桝における羽毛の充填量密度を少なくすることにより身体に掛る圧力を軽減し、睡眠時、すきま風を防ぎ安定感を増す。
（３）人間の顔が出る部分の周縁部の立方体桝の大きさを小さくし、数を多くすることにより、充填物（羽毛）の片寄りを防ぎ、ドレープ性（フィット性）を増し、睡眠中の襟元の冷えを防ぐことが可能になる。
（４）４方周縁部の立方体桝の高さを低く、中央部の立方体桝の高さを高くして、この中央部の嵩高を上げることにより人間のいる部位の保温性を高める。
（５）足元部分に、蓄熱性の良い生地を使用し、足の冷えによる寝つきの悪さを防止する。
【図面の簡単な説明】
【図１】羽毛入りキルティング布団を示す平面図である。（実施例１）
【図２】羽毛入りキルティング布団を示す平面図である。（実施例２）
【図３】羽毛入りキルティング布団を示す一部拡大断面図である。
【符号の説明】
１‥‥羽毛入りキルティング布団
２‥‥４方周縁部
３・・・・中央部
４・・・・足元部
５・・・・４方周縁部の袋部
６・・・・中央部の袋部
７・・・・充填物（羽毛）
【図１】
2005021249.tif 000003
【図２】
2005021249.tif 000004
【図３】
2005021249.tif 000005